(57)【特許請求の範囲】
【請求項１】
先軸と、後軸と、先軸と後軸との間に挿設されて、先軸に対して分離可能に結合されると共に後軸に回転可能に且つ軸方向に移動不能に結合され、先軸と後軸とを互いに分離可能に、さらには、両者が連結状態で相対回転可能に且つ軸方向に移動不能に連結する中軸と、先軸内に収納され後方へ常時付勢されると共に中軸によって軸方向に移動可能に案内された複数の筆記軸体と、後軸内で後軸に相対回転不能且つ軸方向移動可能に設けられ先軸及び中軸との相対回転によって選択的に中軸によって軸方向に案内された１つの筆記軸体を突出した位置に保持するカム筒と、カム筒と一体またはカム筒と連結され前記後軸の後端から突出するノック部とを有し、
該ノック部のノックにより前記カム筒によって突出された筆記軸体のノックが可能になり、前記中軸は、後軸内へと略同心的に延びる後筒部を有し、後筒部の内周面には、前記筆記軸体の軸方向の移動を案内する案内部が形成されることを特徴とする複合筆記具。
【請求項２】
前記後筒部の後端には、係合突起が形成され、該係合突起が、後軸内面に形成された係合段部に係止されることを特徴とする請求項１記載の複合筆記具。
【請求項３】
前記中軸は、さらに、軸方向に略垂直となり、各筆記軸体が挿通する挿通孔が形成された仕切壁を有することを特徴とする請求項１または２に記載の複合筆記具。
【発明の詳細な説明】
【０００１】
【発明の属する技術分野】
本発明は、複数の筆記軸体を収容し、これらの筆記軸体を選択的に突出させて使用可能状態とする複合筆記具に関する。
【０００２】
【従来の技術】
従来、この種の複合筆記具としては、例えば、実公昭５６−１５０３１号公報に記載されたものが知られている。この公報に記載の複合筆記具の構成及び作用を概略説明すると、複合筆記具は、先軸（下部軸ケース）と、後軸（上部軸ケース）と、先軸に固着されガイド溝を有する案内スリーブと、先軸内に収納されガイド溝に案内されるスライダーを有する複数の筆記軸体と、後軸に固着されてスライド傾斜面及び切欠係合部を有する彎曲ケーシングと、を有している。後軸を先軸に対して回転することにより、彎曲ケーシングと案内スリーブとの間に相対回転が生じ、案内スリーブに案内された筆記軸体の１つが彎曲ケーシングの切欠係合部に係合して、先軸の先端開口部から突出することができるようになっている。また、筆記軸体がシャープペンシル軸である場合には、後軸を先軸に対してノックすることにより、そのノック動作が、彎曲ケーシング及びスライダーを介して伝達して、芯の繰り出し操作ができるようになっている。
【０００３】
【発明が解決しようとする課題】
かかる従来の複合筆記具では、後軸が先軸に対してノック動作を行うことができるように、後軸の前端部が、先軸の後端部に覆い重なった、所謂後軸がオーバーキャップとなった構造を採る必要がある。しかしながら、かかるオーバーキャップ構造は、ノック操作の際に、筆記具の略半分を占める後軸が筆記具を把持する手の中で動くことになるため、操作性が悪い。
【０００４】
オーバーキャップ構造以外の構造としては、後軸と先軸との間に軸方向の隙間を設けて、ノック代を確保するものも考えられるが、オーバーキャップ構造と同様に、ノック操作の際に後軸全体が動き、操作性が悪く、また、後軸と先軸との間に隙間が形成されているため、見栄えが悪い。この隙間を塞ぐべく、軸方向に伸縮自在となった蛇腹状のゴム部材をこの隙間に充填させたものも市販されているが、このようなゴム部材を設けると部品点数及び部品コストが増加するという問題もある。
【０００５】
また、別の複合筆記具としては、後軸と先軸とを軸方向に隙間無く且つ分離可能なるよう螺着結合し、両者が結合した状態で、互いに相対回転不能且つ軸方向に移動不能とし、後軸と別にノック部を設け、ノック部を回転することにより、複数の筆記軸体中から１つの筆記軸体を選択的に突出させ、さらに突出した筆記軸体がシャープペンシル軸である場合には、ノック部をノックすることにより芯の繰り出し操作ができるようになったものも、市販されている。しかしながら、このような複合筆記具の場合には、ノック部が小さいため、回転操作を行い難く、操作性が悪いという問題がある。
【０００６】
本発明はかかる従来の複合筆記具のそれぞれの持つ課題に鑑みなされたもので、回転操作及びノック操作とも操作性が良い複合筆記具を提供することをその目的とする。
【０００７】
【課題を解決するための手段】
上記目的を達成するために本発明のうち請求項１記載の発明では、先軸と、後軸と、先軸と後軸との間に挿設されて、先軸に対して分離可能に結合されると共に後軸に回転可能に且つ軸方向に移動不能に結合され、先軸と後軸とを互いに分離可能に、さらには、両者が連結状態で相対回転可能に且つ軸方向に移動不能に連結する中軸と、先軸内に収納され後方へ常時付勢されると共に中軸によって軸方向に移動可能に案内された複数の筆記軸体と、後軸内で後軸に相対回転不能且つ軸方向移動可能に設けられ先軸及び中軸との相対回転によって選択的に中軸によって軸方向に案内された１つの筆記軸体を突出した位置に保持するカム筒と、カム筒と一体またはカム筒と連結され前記後軸の後端から突出するノック部とを有し、該ノック部のノックにより前記カム筒によって突出された筆記軸体のノックが可能になり、前記中軸は、後軸内へと略同心的に延びる後筒部を有し、後筒部の内周面には、前記筆記軸体の軸方向の移動を案内する案内部が形成されることを特徴とする。
後軸を先軸に対して相対回転すると、後軸に対して相対回転不能となったカム筒が後軸と共に回転し、先軸及び中軸との間に生じた相対回転により、選択的に中軸によって軸方向に案内された１つの筆記軸体を突出した位置に保持する。また、ノック部をノックすると、カム筒がノックされ、カム筒により突出された筆記軸体のノックが可能となる。後軸は、先軸に対してノック動作せず、筆記具後部にあるノック部のみがノック動作されるため、操作性は良いものとなる。また、筆記軸体の交換または補充を行うときには、先軸と後軸とを分離し、筆記軸体を露出させて行うことができる。
【０００９】
また、請求項２記載の発明は、請求項１記載の前記中軸の前記後筒部の後端には、係合突起が形成され、該係合突起が、後軸内面に形成された係合段部に係止されることを特徴とする。
【００１０】
また、請求項３記載の発明は、請求項１または２に記載の前記中軸は、さらに、軸方向に略垂直となり、各筆記軸体が挿通する挿通孔が形成された仕切壁を有することを特徴とする。
【００１１】
【発明の実施の形態】
以下、図面を用いて本発明の実施の形態を説明する。
【００１２】
図１ないし図６は本発明の複合筆記具の実施形態を表す図である。図において、複合筆記具は、先軸１０と、後軸２０を有している。
【００１３】
先軸１０は、詳細には、１つの金属製パイプ１２と、金属製パイプ１２の先端に圧入される先具１４と、金属製パイプ１２の後端に圧入される胴ネジ部１６と、金属製パイプ１２の外周側を包囲し、先具１４と胴ネジ部１６との間に挟まれる弾性グリッパー１８とから構成される。但し、この構成に限るものではなく、より少ない部品、例えば一部品で構成することも可能である。胴ネジ部１６の外周面には、先軸１０が次に述べる中軸３０と結合するための雄ネジ部１６ａが形成されている。
【００１４】
先軸１０と後軸２０との間には、中軸３０が挿設されている。中軸３０は、図２に詳細に示したように、おおまかに、先筒部３２と、後筒部３４と、先筒部３２と後筒部３４との間にあって、軸方向に略垂直になった仕切壁３６とを有している。先筒部３２の内周面には、前記胴ネジ部１６の雄ネジ部１６ａと螺合する雌ネジ部３２ａが形成されており、これにより先軸１０と中軸３０は螺合により分離可能に結合される。また、中軸３０の後筒部３４は、後軸２０内へと略同心的に延びており、その後筒部３４の後端縁には、外径方向に突出する２つの係止突起３４ａが形成され（図２（ｃ）参照）、この係止突起３４ａは、後軸２０の内面に形成された係合段部２０ａに係止されている。また、中軸３０の前筒部３２にも外径方向に突出する１つの突起３２ｂが形成されており、この突起３２ｂは、後軸２０の前端部に形成され周方向に２４０度の範囲で延びる周溝２０ｂの中に回動可能に嵌入される（図３参照）。こうして、中軸３０は後軸２０に対して相対回転可能（２４０度の範囲で）且つ軸方向に移動不能に結合される。結果として、中軸３０の先筒部３２と先軸１０の胴ネジ部１６との螺合を解除することによって、先軸１０と後軸２０とが分離し、他方、中軸３０の先筒部３２と先筒１０の胴ネジ部１６とを螺着することによって、先軸１０と後軸２０とが連結され、先軸１０と後軸２０とが連結された状態で、互いに相対回転可能（２４０度の範囲で）且つ軸方向に移動不能に連結される。
【００１５】
先軸１０内には、複数（具体的には３本）の筆記軸体４０，４２，４２が収納される。これらの筆記軸体４０，４２，４２のうちの１つの筆記軸体４０は、シャープペンシル軸であり、残りの２つの筆記軸体４２（但し、そのうちの１本は、図１において手前側にあって見えない）は、互いに色の異なるポールペン軸となっている。但し、筆記軸体の組み合わせとしては、勿論この組み合わせに限定されるものではなく、消しゴム軸も含む任意の筆記軸体を組み合わせることが可能である。これらの筆記軸体４０，４２，４２の後部は、前記中軸３０の仕切壁３６に形成された対応する挿通孔３６ａを挿通して、後軸２０へと延びており、その後端には、カムスライダー４４，４４，４４が取り付けられている。各カムスライダー４４と仕切壁３６との間には弾性部材であるバネ４６が介挿されており、各バネ４６によって、各筆記軸体４０，４２，４２は常時後方へと付勢されている。
【００１６】
カムスライダー４４，４４，４４は、図４に示すように、軸方向から見て１２０度の開度を持つ扇形状をなしており、それぞれの外径方向の外周面には、後述のカム筒５０と係合するべくその後端が尖った係合突起４４ａが形成されて、さらに係合突起４４ａの外周面にはリブ４４ｂが形成されている。このリブ４４ｂは、中軸３０の後筒部３４の内周面に形成された縦溝３４ｂに嵌合しており、このリブ４４ｂと縦溝３４ｂとの嵌合により、カムスライダー４４及びこれに連結する筆記軸体４０，４２，４２は、それぞれ軸方向に移動可能に案内される（図４参照）。また、中軸３０の後筒部３４の内周面には、縦溝３４ｂの他に縦リブ３４ｃが形成されており、縦リブ３４ｃは、カムスライダー４４の外周面を案内するようになっている。これらの縦溝３４ｂ及び縦リブ３４ｃは筆記軸体４２の為の案内部として作用する。
【００１７】
後軸２０の後内部には、カム筒５０が設けられる。カム筒５０は、その外周面に形成されたリブ５０ａが後軸２０の後端部内面に形成された縦溝２０ｃに摺動可能に嵌入されており、後軸２０に対して相対回転不能且つ軸方向に摺動可能となっている。カム筒５０の先端には、図５に示すように、筍状のカム突起５０ｂが形成され、そのカム突起５０ｂの先端には、係合凹部５０ｃが形成されており、この係合凹部５０ｃに、前記カムスライダー４４の係合突起４４ａの後端が係合可能となっている。カム筒５０の後端には、消しゴム受け部５０ｄが形成されて、消しゴム５２が挿入されている。また、消しゴム受け部５０ｄには、消しゴム５２をカバーする消しゴムカバー５４が被着されており、この消しゴムカバー５４が後軸２０の後端から突出するノック部を構成している。
【００１８】
また、後軸２０の後端には、尾冠５６が固着されており、カム筒５０の後方への飛び出しを禁止している。また、尾冠５６と後軸２０とで、クリップ５８の基部を挟着している。
【００１９】
以上のように構成される複合筆記具の作用を説明する。まず、図１は、１つの筆記軸体４２が突出した状態を表しており、この状態で、この筆記軸体４２の後端に取り付けられたカムスライダー４４の係合突起４４ａの後端が、カム筒５０の係合凹部５０ｃに係合しており、筆記軸体４２はその先端が先具１４より突出した状態を保持して、筆記ができるようになっている。
【００２０】
この状態から、後軸２０を先軸１０に対して回転すると、後軸２０と共にカム筒５０が回転し、係合突起４４ａと係合凹部５０ｃとの係合が解除されて、突出していた筆記軸体４２は、バネ４６の付勢力によって、カム筒５０のカム突起５０ｂの斜面を摺動しながら、後退する。そして、その回転方向に応じて隣接する筆記軸体４０または４２のカムスライダー４４の係合突起４４ａがカム筒５０のカム突起５０ｂの斜面を摺動しながら、前進し、係合突起４４ａの後端が係合凹部５０ｃと係合して、筆記軸体４０（または他の筆記軸体４２）は、その先端が先具１４より突出した状態を保持して、筆記ができるようになる。図６は、筆記軸体４０が前進した状態を表している。筆記軸体４０は、シャープペンシル軸であるので、芯を繰り出すために、ノックを行う必要があるが、本発明では、後軸２０ではなく、ノック部を構成する消しゴムカバー５４をノックする。消しゴムカバー５４をノックすることにより、カム筒５０がノックされ、そして、カム筒５０の係合凹部５０ｃに係止されるスライダー４４を介して筆記軸体４０がノックされる。筆記軸体４０の先端部の外筒部が先具１４に当接することにより、筆記軸体４０の内部のチャックＣが押し出されて、公知の芯送り出し機構の作用により芯Ｌが繰り出される。
【００２１】
また、芯を筆記軸体４０に補充する場合には、前述の先軸１０の雄ネジ部１６ａと中軸３０の雌ネジ部３２ａとの螺合を外し、先軸１０を中軸３０及び後軸２０から分離し、筆記軸体４０を露出させて行うことができる。
【００２２】
以上のように、この実施形態では、筆記軸体４０，４２，４２を選択的に突出させる操作を行うときには、後軸２０を先軸１０に対して回転させることにより行うため、回転操作が行いやすく、筆記軸体４０のノック操作の際には、ノック部をノックすることにより行うため、後軸２０全体がノックされず、操作性が良いものとなる。
【００２３】
尚、ノック部は、カム筒５０と一体品とすることも、またはカム筒５０とは別の複数の部材から構成することも可能である。
【００２４】
【発明の効果】
以上説明したように、本発明によれば、筆記軸体を選択的に突出させる操作を行うときには、後軸を先軸に対して回転させることにより行うため、回転操作が行いやすく、筆記軸体のノック操作の際には、ノック部をノックすることにより行うため、後軸全体がノックされず、操作性が良いものとなる。
【図面の簡単な説明】
【図１】本発明の複合筆記具の実施形態を表す全体縦断面図であり、１つの筆記軸体（ボールペン軸）が突出した状態を表す。
【図２】（ａ）は図１の複合筆記具の中軸の側面図、（ｂ）は中軸の縦断面図、（ｃ）は図２（ａ）の２ｃ矢視図である。
【図３】図１の３−３線の断面図である。
【図４】図１の４−４線断面図である。
【図５】図１のカム筒の斜視図である。
【図６】本発明の複合筆記具の実施形態を表す全体縦断面図であり、１つの筆記軸体（シャープペンシル軸）が突出した状態を表す。
【符号の説明】
１０  先軸
２０  後軸
３０  中軸
３４ｂ  縦溝（案内部）
３４ｃ  縦リブ（案内部）
３６  仕切壁
３６ａ  挿通孔
４０、４２  筆記軸体
５０  カム筒
５４  消しゴムカバー（ノック部）
【図１】
0003844417.tif 000002
【図２】
0003844417.tif 000003
【図３】
0003844417.tif 000004
【図４】
0003844417.tif 000005
【図５】
0003844417.tif 000006
【図６】
0003844417.tif 000007